(57)【要約】【課題】１枚の液晶表示パネルを用いた表示領域が可変な両面液晶表示装置を提供する。【解決手段】一部を共用する２個の表示領域が並設された液晶表示パネルの両主面に対向させて、前記表示領域と１対１に対応する２個のバックライトを配置した液晶表示装置であって、前記表示領域の可視領域を可変させるべく前記２個のバックライトを表示領域の並設方向に移動可能としたことを特徴とする両面液晶表示装置とする。【選択図】図１
2004325966.tif 000002
【特許請求の範囲】
【請求項１】
一部を共用する２個の表示領域が並設された液晶表示パネルの両主面に対向させて、前記表示領域と１対１に対応する２個のバックライトを配置した液晶表示装置であって、前記表示領域の可視領域を可変させるべく前記２個のバックライトを表示領域の並設方向に移動可能としたことを特徴とする両面液晶表示装置。
【請求項２】
前記バックライトの移動時、２個のバックライトの動きが連動することを特徴とする請求項１に記載の両面液晶表示装置。
【請求項３】
前記液晶表示パネル及び２個のバックライトが前記表示領域と１対１に対応する２個の窓部を有した筐体の内部に収容されており、且つ該筐体の内面に前記バックライトを移動させるための案内溝が一体的に形成されていることを特徴とする請求項１または請求項２に記載の両面液晶表示装置。
【請求項４】
請求項１または請求項２に記載の両面液晶表示装置が組み込まれた表示用筐体と、複数個の操作キーを有した操作用筐体とを、ヒンジ部を介して開閉可能に連結してなり、前記表示用筐体と前記操作用筐体との開閉動作に同期して前記バックライトを移動させるようにした情報機器。
【発明の詳細な説明】
【０００１】
【発明の属する技術分野】
本発明は、１枚の液晶表示パネルを用いた両面液晶表示装置およびそれを用いた情報機器に関する。
【０００２】
【従来の技術】
液晶表示装置は、薄型、軽量そして低消費電力というメリットがあり、これらのメリットを活かして、近年、コンピュータ、携帯電話、情報端末等の表示パネルとして広く利用されている。特に、携帯電話については、折りたたみ式のものであって、待機時には蓋を閉じた状態で持ち歩き、着信時に蓋を開けるようなタイプが普及している。
【０００３】
このようなタイプによれば、その携帯電話の蓋を閉じている状態でも、時計を表示し、また、着信相手が表示できるなどの機能が付加され、液晶表示装置も第一表示領域と第二表示領域というように分けて携帯電話に搭載されるものが多く発売されている。
【０００４】
このような第一表示領域と第二表示領域を有する両面液晶表示装置においては、それぞれ別々の液晶表示パネルを使用している。
【０００５】
しかしながら、携帯電話などの情報機器に用いる液晶表示装置は、消費電力が小さく、軽量であることが望まれているが、上記の場合には液晶表示パネルを２つ用いる必要があるため、消費電力が大きく、また携帯性が損なわれる。
【０００６】
これらの要求に応えるべく、例えば、特許文献１には、１枚の液晶表示パネルを用いて第一表示領域と第二表示領域の両方を表示できるようにする液晶表示装置が提案されている。この液晶表示パネル３００を図１３でもって説明する。
【０００７】
図１３は、従来の反射型液晶表示パネル３００の側断面概略図を示すものである。
【０００８】
同図によると、透明基板上にストライプ状のＩＴＯ（Ｉｎｄｉｕｍ  Ｔｉｎ  Ｏｘｉｄｅ）からなる透明電極と配向膜を順次配設した一方の透明部材１と他方の透明部材２とを形成し、そして、一方の透明部材１と他方の透明部材２との双方の基板間距離（以下、この基板間距離を基板間ギャップと称する）を保つようにスペーサを散布し、さらにシール部材を設けて封止するとともに、液晶を充填することで、液晶表示パネル３００が得られる。
【０００９】
この従来例では、１枚の液晶表示パネル３００において、ディスプレイ方向Ａとディスプレイ方向Ｂのそれぞれの領域において偏光板および反射板を対称的に配することにより、液晶表示装置の表裏両面からの反射光を利用し、双方の表示領域で表示させるようにしている。
【００１０】
【特許文献１】
特開２００１−２７７５６号公報
【００１１】
【発明が解決しようとする課題】
しかしながら、上記の液晶表示パネル３００においては、ディスプレイ方向ＡとＢから視認されるそれぞれの表示領域は別個に固定されているため、第一表示領域を大きくする場合には第二表示領域が小さくなってしまい、第二表示領域の情報は限られたものになるという問題があった。
【００１２】
したがって、本発明は上述の課題に鑑み案出されたものであり、第一表示領域または第二表示領域の可視領域を可変とすることにより、表示できる情報量を増やすことが出来る両面液晶表示装置を提供することにある。
【００１３】
【課題を解決するための手段】
本発明の両面液晶表示装置は、一部を共用する２個の表示領域が並設された液晶表示パネルの両主面に対向させて、前記表示領域と１対１に対応する２個のバックライトを配置し、前記表示領域の可視領域を可変させるべく前記２個のバックライトを表示領域の並設方向に移動可能としたことを特徴とする。これによりバックライトを移動させることで、視覚方向からの可視領域を最大化して表示できる情報量を増やすことが出来る。すなわち、従来のバックライトを固定し１つの液晶表示パネルを例えば２つの表示領域に区分して利用していた構成と比較し、同等の情報量を表示する場合において、２個の表示領域の一部を共用するため、結果として液晶表示パネルを小型化することができる。また、前記バックライトの移動時、２個のバックライトの動きが連動することを特徴とする。これにより、スライドスイッチ手段などを用いて一度の動作で２個のバックライトを移動させることができ、簡易な操作で液晶表示パネルの表示領域の可視領域を変更することが可能となる。
【００１４】
さらに、本発明の両面液晶表示装置は、前記液晶表示パネル及び２個のバックライトが前記表示領域と１対１に対応する２個の窓部を有した筐体の内部に収容されており、且つ該筐体の内面に前記バックライトを移動させるための案内溝が一体的に形成されていることを特徴とする。これにより、バックライトを表示領域の並設方向に一直線上を安定的に移動させることができ、バックライトと液晶表示パネルとの接触を避けることができる。
【００１５】
さらにまた、本発明は上記両面液晶表示装置が組み込まれた表示用筐体と、複数個の操作キーを有した操作用筐体とを、ヒンジ部を介して開閉可能に連結してなり、前記表示用筐体と前記操作用筐体との開閉動作に同期して前記バックライトを移動させるようにした情報機器を構成したことを特徴とする。
【００１６】
【発明の実施の形態】
以下、本発明の両面液晶表示装置を図面に基いて詳説する。図１は、両面液晶表示装置の動作を説明する側断面概略図であり、図２および図３はその両面液晶表示装置を一方主面側および他方主面側から見た正面概略図である。また、図４は、本発明の両面液晶表示装置を構成する液晶表示パネルを示し、図５〜７は本発明の両面液晶表示装置におけるスライドスイッチを表すものである。次に図８は、図１の状態から両バックライトを下方に移動した状態の両面液晶表示装置を示す側断面概略図であり、図９および図１０はその両面液晶表示装置を一方主面側および他方主面側から見た正面概略図である。なお、図１１と図１２により、本発明の情報機器の一例として、両面液晶表示装置を配した折りたたみ式情報機器を示すものである。尚、本件でいう両面液晶表示装置とは、液晶表示パネルに表示される情報を両主面側から視認することが可能な液晶表示装置をいう。
【００１７】
本発明の両面液晶表示装置を、面状バックライトを配設したＳＴＮ型の透過型単純マトリックスタイプ液晶表示装置をもって説明する。
【００１８】
まず、液晶表示パネル１００は、図４に示される。
【００１９】
ガラス材やプラスチック材からなる透明基板１の内面上に、カラーフィルター３、シリカや合成樹脂からなる保護膜（図示せず）、ストライプ状のＩＴＯなどからなる透明電極４が順次形成されている。さらにその表面上にはポリアミド樹脂からなる配向膜（図示せず）が形成され、所定方向にラビング処理が施されている。
【００２０】
他方、ガラス材やプラスチックス材からなる透明基板２上にストライプ状のＩＴＯなどからなる透明電極５を形成し、この透明電極５上にポリイミド等からなる配向膜（図示せず）を形成する。なお、上記透明電極と配向膜との間にＳｉＯ２等からなる絶縁層を介在させてもよい。
【００２１】
透明基板１と透明基板２とのいずれかまたは両方に、樹脂スペーサ（図示せず）を散布し、同時に、両基板１、２の所要の基板間ギャップに保持するスペーサ（図示せず）を混入したシール部材６を両基板１、２との対向面内の外周部に液晶注入口を除いて形成し、両基板１、２とをシール部材６によって貼着し、その後、透明基板１と透明基板２との間の空間を真空にして、例えば２００〜２７０°の角度でツイストされたカイラル材を含有したネマチック液晶を注入することで液晶層７を形成する。その後、透明基板１と透明基板２との外側面上に一定の圧力を加えることで、所要の基板間ギャップにし、液晶を注入した注入部をＵＶ樹脂で封止する。
【００２２】
さらに、透明基板１、２の外面上に偏光板８，９を配設する。この場合、ＳＴＮモード、Ｄ−ＳＴＮ（ダブル−ＳＴＮ）モード等の動作モードや、ノーマリーホワイトモード／ノーマリーブラックモードの別に応じて、所定の方向で配設する。
【００２３】
そして、透明電極１、２の間に電圧を印加するための液晶駆動用ＩＣ１０をＣＯＧ（Ｃｈｉｐ  ｏｎ  ｇｌａｓｓ）などのアッセンブリ―手法を用いて、アニソルムなどの導電性の接続用テープ（図示せず）などを介することで接続し、さらに、必要な信号、電圧を供給するためのＦＰＣ  （Ｆｌｅｘｉｂｌｅ  ｐｒｉｎｔ  ｃｉｒｃｕｉｔ）を合わせてアニソルムなどの導電性の接続用テープ（図示せず）などを介して実装することにより液晶表示パネル１００を得る。
【００２４】
この液晶表示パネル１００は、透明電極４，５を介して各ドットに駆動電圧を印加することで液晶層７に電界を生じさせ、ＯＮ／ＯＦＦし、伝言情報などの情報（データ）を表示させることができる。
【００２５】
なお、ＳＴＮ型単純マトリックスタイプ液晶表示パネルを用いて説明しているが、双安定型単純マトリックスタイプ、ＴＮ型単純マトリックスタイプそしてアクティブマトリクスタイプなどの液晶表示パネルを含め、液晶表示装置に用いられる液晶表示パネルとして公知の構成を用いることができる。
【００２６】
次に、図４の液晶表示パネル１００を用いた両面液晶表示装置１５０を、その側断面概略図である図１と一方主面側および他方主面側から見た正面概略図である図２、３を用いて説明する。
【００２７】
図１は、プラスチックなどから成型され、液晶表示パネル１００の両表示領域に対応する保護樹脂からなる窓部（図示せず）を有する筐体１８を示す。また、筐体１８の内部には、液晶表示パネル１００と、バックライト用光源１５と導光板（図示せず）とこれらを内包する第一バックライトケース（図示せず）からなる第一バックライト１４と、バックライト用光源１３と導光板（図示せず）とこれらを内包する第一バックライトケース（図示せず）からなる第二バックライト１２とを収容させることにより、両面液晶表示装置１５０を形成する。バックライト用光源としては、ＬＥＤ、陰極管、ＥＬ、Ｘｅ放電管、無電極ランプなどを用いることができる。バックライトケースは、ポリカーボネートやアクリル樹脂などの材料を用いることができる。
【００２８】
液晶表示パネル１００は透過型であり且つ両面表示が可能なものである。図１に示すように、第一表示領域１６として、液晶表示パネル１００全領域の内、下方の領域を利用している。また、第二表示領域１７には、液晶表示パネル１００全領域の内、上方の領域を利用している。第二表示領域１７の表示には、両面液晶表示装置をコントロールする本体機器側の制御により、画像が裏側から見ても正しく配列しているように画像のミラー反転処理を施している。図２は、両面液晶表示装置を一方主面側から見た正面概略図であり、使用者は液晶表示パネル１００の第一表示領域１６に表示される情報を、第一バックライト１４からの光により透明樹脂層１６を通じて見ることができる。一方、図３は、両面液晶表示装置を他方主面側から見た正面概略図であり、使用者は液晶表示パネル１００の第二表示領域１７に表示される情報を、第二バックライト１２からの光により透明樹脂層１７を通じて見ることができる。
【００２９】
図２において、第一表示領域１６全域が可視領域となる。他方第二表示領域１７の可視領域１９は、図３のように、上半分程度であり、下半分の領域は第一バックライト１４裏面により不可視領域２０となる。この場合の第一表示領域１６と第二表示領域１７の可視領域の比率は、例えば液晶表示パネル割合で７５：２５程度であり、可視領域が最大化されている第一表示領域１６を優先的に使用することができる。
【００３０】
ここで、本発明では、第一バックライト１４および第二バックライト１２を移動させることで第一表示領域１６と第二表示領域１７の可視領域を可変にしたものである。特に、第一バックライト１４と第二バックライト１２を連動して移動させることが好ましい。
【００３１】
連動して移動させるためには、スイッチ手段として、図５、６に示すように、第一バックライト１４と第二バックライト１２の双方を連結するスライドスイッチ２３を設ける。スライドスイッチ２３の材料にはＡＢＳ樹脂、ポリカーボネートなどを用い、スライドスイッチ２３とバックライトケース２４、２５は接着により接合させる。
【００３２】
当該スライドスイッチ２３が筐体の外部へ突出する部分に、ゴムなどからなるパッキン２６を設け、内部構造を外気から保護する。パッキン２６を設ける場所としては、スライドスイッチ２３側であっても良いし、バックライトケース２４、２５側でも良い。
【００３３】
そして、図５、６に示すように、スライドスイッチ２３の凸部の両側に、ステンレスなどからなる板ばね２７を設ける。他方、図７（ａ）に示すように、対応する筐体１８の一部を開口し、その開口部分を波状に成型したスライドスイッチ受け部２８を設ける。これにより、スライドスイッチ２３は、スライドスイッチ２３側および筐体１８側の板ばね２７とスライドスイッチ受け部２８間の摺動により、バックライト１２、１４を連動させて移動することができる。
【００３４】
このような両面液晶表示装置において、第一バックライト１４及び第二バックライト１２を連動して下方に移動させることにより、図１〜図３の両面液晶表示装置は、それぞれ図８〜図１０に示すような状態となる。この場合、図９において第一表示領域１６のうち下部領域を可視領域２２にさせており、上部領域は第二バックライト１２裏面により不可視領域２１となる。一方図１０に示すように、第二表示領域１７に対し全域が可視状態とされており、第一表示領域１６と第二表示領域１７の可視領域の比率は、例えば５０：５０程度となり、可視領域が最大化されている第二表示領域１７を優先的に使用することができる。
【００３５】
このように、バックライト１２，１４を移動させることにより、第二表示領域１７の可視領域を広げることができ、視認できる情報量を増大することが可能となる。すなわち、従来のバックライトを固定し１つの液晶表示パネルを例えば２つの表示領域に区分して利用していた構成と比較し、同等の情報量を表示する場合において、２個の表示領域の一部を共用するため、結果として液晶表示パネルを小型化することができる。
【００３６】
上記実施の態様とは逆に、下方から上方にバックライト１２，１４を移動させることで、第一表示領域１６の可視領域を広げることができる。
【００３７】
また、一方主面および他方主面で扱う情報量に応じ、液晶表示パネル１００と両バックライト１２，１４との大きさを変えることで、可視領域の変更割合を適宜変えることができる。
【００３８】
また、両バックライト１２，１４を移動させる手段として、小型のモータなどの自動手段を用いることもできる。すなわち、小型のモータを前記スライドスイッチ２３と同様、第一バックライト１４及び第二バックライト１２に連動させるように配することができる。この場合、別途前記モータを作動させるための操作ボタンを設けることで、両バックライト１２，１４を移動させることができる。
【００３９】
そして、図７（ｂ）に示すように、筐体１８の内面に、バックライト１２，１４が移動する線上を案内するために溝形状の凹ガイド３０を一体的に形成する。これにより、バックライト１２，１４は、凹ガイド３０の内側を両表示領域の並設方向に一直線上に安定的に移動することができ、バックライト１２，１４と液晶表示パネル１００との接触による破損を防止することができる。なお、凹ガイドは、別体を接合することにより形成できる。
【００４０】
また、図５，６に示すように、バックライト１２，１４側に凸ガイド２９を設け、それに対応する凹ガイド３０を筐体１８側に成型することができる。さらに、板ばね２７およびスライドスイッチ受け部２８を用いない場合においても、スイッチが筐体１８から出る部分の形状を移動方向に細長くすることにより、筐体１８の該当部分との間を安定して直線的に移動できるようにして、バックライト１２，１４と液晶表示パネル１００の接触を避けることができる。
【００４１】
なお、前述したミラー反転処理をバックライト１２，１４の移動に連動させることによって、画像を裏側から見ても正しく配列しているように表示することができる。
【００４２】
また、第一バックライト１４及び第二バックライト１２のＯＮ／ＯＦＦを、バックライト１２，１４の移動に連動して処理することが好ましい。これにより、第一表示領域１６のみの使用時に第二表示領域１７に対応する第二バックライト１２の消費電力を削減することができる。逆の場合も同様である。
【００４３】
この両面液晶表示装置を用いて、当該両面液晶表示装置を駆動する電源などを備えることで情報機器とすることができる。これにより、各表示領域の可視領域を拡大することができ、より多くの情報量を扱うことが可能となる。
【００４４】
次に、本発明の両面液晶表示装置を用いた情報機器の例を図１１、１２により説明する。
【００４５】
図１１、１２において、両面液晶表示装置１５０を搭載した折りたたみタイプの携帯電話２００である。図１１は折りたたんだ状態を示し、第二表示領域３３が利用者の前面に位置する。図１２は開いた状態を示し、第一表示領域３７が利用者の前面に位置することになる。この携帯電話２００によれば表示用筐体３１内に液晶表示装置１５０を配設しているが、表示用筐体３１には送信、受信用のアンテナ３２を設け、さらに表面にはレシーバ３５とマイク３６が形成される。当該表示用筐体３１は、複数個の操作キーを有した操作用筐体（図示せず）とがヒンジ部（図示せず）を介して折りたたみ可能に結合されている。第一表示領域３７を使用するとき動作するバックライトと第二表示領域３３を使用するとき動作するバックライトを互いに連動して移動させるスライドスイッチ３４を設けている。このスライドスイッチ３４を用いて両バックライトを連動して移動させることにより、例えば第二表示領域３３を使用する場合に、第二表示領域３３の可視領域を拡大する方向に両バックライトを移動させることで、より多くの情報を表示させることができる。
【００４６】
また、バックライト１２、１４の移動を情報機器の開閉動作に同期させる事もできる。この場合、開閉を検知する手段としては、角度センサ、光センサそして接触スイッチなどの公知のものを用いることができ、それに対応してバックライトを移動するようにする。
【００４７】
情報機器の例として、携帯電話を挙げているが、たとえば、ＰＤＡ（Ｐａｒｓｏｎａｌ  ＤｉｇｉｔａｌＡｓｓｉｓｔａｎｔ）、電子辞書、時計、計算機、携帯ゲーム機器、万歩計（Ｒ）、工業計器などに用いることもできる。また、上記携帯できるものに限られず、設置して用いる駅の表示パネルのような両面表示ディスプレイを用いる他の用途に利用することができる。
【００４８】
【発明の効果】
本発明では、一部を共用する２個の表示領域が並設された液晶表示パネルの両主面に対向させて、前記表示領域と１対１に対応する２個のバックライトを配置した液晶表示装置であって、前記表示領域の可視領域を可変させるべく前記２個のバックライトを表示領域の並設方向に移動可能としたことを特徴とする両面液晶表示装置としたことにより、必要に応じて第一表示領域または第二表示領域の可視領域を広げることにより、表示できる情報量を増やすことが出来る。また、バックライトが移動する線上を案内するために、筐体の内面に凹ガイドを設けることにより、バックライトを表示領域の並設方向に一直線上を安定的に移動させることができ、バックライトと液晶表示パネルとの接触を避けることができる。さらに、本発明の両面液晶表示装置が組み込まれた表示用筐体と、複数個の操作キーを有した操作用筐体とを、ヒンジ部を介して開閉可能に連結してなり、前記表示用筐体と前記操作用筐体との開閉動作に同期して前記バックライトを移動させるようにした情報機器とすることができる。
【図面の簡単な説明】
【図１】本発明の両面液晶表示装置の動作を説明する側断面概略図である。
【図２】本発明の両面液晶表示装置を一方主面側からみた正面概略図である。
【図３】本発明の両面液晶表示装置を他方主面側からみた正面概略図である。
【図４】本発明の液晶表示パネルの側断面図である。
【図５】本発明の両面液晶表示装置の内部構造を示す正面図である。
【図６】図５を側面側からみた概略図である。
【図７】（ａ）は本発明に用いる筐体の外側断面部分図であり、（ｂ）は本発明に用いる筐体の内側断面部分図である。
【図８】図１の両バックライトを下方に移動させた状態を示す側断面概略図である。
【図９】図８の状態における本発明の両面液晶表示装置を一方主面側からみた正面概略図である。
【図１０】図８の状態における本発明の両面液晶表示装置を他方主面側からみた正面概略図である。
【図１１】本発明の両面液晶表示装置を用いた折りたたみ式情報機器の閉じた状態を示す斜視図である。
【図１２】本発明の両面液晶表示装置を用いた折りたたみ式情報機器の開いた状態を示す斜視図である。
【図１３】従来例の液晶表示パネルの側断面概略図である。
【符号の説明】
１，２        ：透明基板
３            ：カラーフィルター層
４，５          ：透明電極
６            ：シール部材
７            ：液晶層
８、９        ：偏光板
１０          ：液晶駆動用ＩＣ
１１          ：ＦＰＣ
１２          ：第二バックライト
１４          ：第一バックライト
１３、１５    ：バックライト用光源
１６          ：第一表示領域
１７          ：第二表示領域
１８          ：筐体
１９          ：可視領域
２０          ：不可視領域
２１          ：不可視領域
２２          ：可視領域
２３          ：スライドスイッチ
２４          ：第一バックライトケース
２５          ：第二バックライトケース
２６          ：パッキン
２７          ：板ばね
２８          ：スライドスイッチ受け部
２９          ：凸ガイド
３０          ：凹ガイド
３１          ：表示用筐体
３２          ：アンテナ
３３          ：第二表示領域
３４          ：スライドスイッチ
３５          ：レシーバ
３６          ：マイク
３７          ：第一表示領域
１００        ：液晶表示パネル
１５０        ：両面液晶表示装置
２００        ：携帯電話
３００        ：液晶表示パネル
【図１】
2004325966.tif 000003
【図２】
2004325966.tif 000004
【図３】
2004325966.tif 000005
【図４】
2004325966.tif 000006
【図５】
2004325966.tif 000007
【図６】
2004325966.tif 000008
【図７】
2004325966.tif 000009
【図８】
2004325966.tif 000010
【図９】
2004325966.tif 000011
【図１０】
2004325966.tif 000012
【図１１】
2004325966.tif 000013
【図１２】
2004325966.tif 000014
【図１３】
2004325966.tif 000015